(57)【特許請求の範囲】
【請求項１】
サーバとネットワークを介して接続された端末装置における、申請者の顔写真付き申請書データの作成方法であって、
予め住民カードに記録された生体情報を該端末装置に備えるカード情報読み取り手段により読み取り、該読み取った生体情報と、生体情報測定手段により測定された前記申請者の生体情報とを比較し、該申請者が申請者本人であるかどうかを認証する第１のステップと、
前記認証の結果、認証に成功すれば、前記カード情報読み取り手段が前記住民カードから住民コードを読み出す第２のステップと、
前記読み出した住民コードを前記ネットワークを介して前記サーバに送信する第３のステップと、
前記サーバから前記ネットワークを介して前記住民コードに紐付いた個人情報を受信し、該受信した個人情報を申請書記載事項として記憶部に記憶する第４のステップと、
前記個人情報以外に、前記申請者から前記端末装置の入力手段により申請に必要な情報を受け付け、該申請に必要な情報を前記個人情報と対応付け、これらを前記申請書記載事項として前記記憶部に記憶する第５のステップと、
前記端末装置に備える撮影手段により前記申請者の顔写真を撮影して画像データを作成するとともに該画像データの有効期限を算出する第６のステップと、
前記画像データが前記申請者本人の顔写真を示していることを認証する為の顔写真用認証情報を前記ネットワークを介して前記サーバに要求する第７のステップと、
前記サーバから前記ネットワークを介して前記顔写真用認証情報を受信し、該情報と前記画像データの有効期限を示す情報を可視化された認証マークとして前記画像データに埋め込んで前記申請者の顔写真データを生成する第８のステップと、
前記記憶部に記憶されている前記申請書記載事項を読み出し、該読み出した申請書記載事項に該申請者の顔写真データを付加して前記申請書データを作成する第９のステップと、
該申請書データの内容を認証する為の申請書データ用認証情報を前記ネットワークを介して前記サーバに要求する第１０のステップと、
前記サーバから前記ネットワークを介して前記申請書データ用認証情報を受信するとともに前記申請書データの有効期限を算出する第１１のステップと、
前記申請書データ用認証情報と前記申請書データの有効期限を示す情報を可視化された認証マークとして前記申請書データに埋め込む第１２のステップと、
を有することを特徴とする顔写真付き申請書データ作成方法。
【請求項２】
前記第５のステップの後、前記第８のステップにより生成された前記申請者の顔写真データを前記住民カードとは異なる情報記録媒体から取得すると、該取得した顔写真データ中の画像データが前記申請者本人の顔写真を示しているかどうかの検証を前記サーバに依頼し、前記サーバから、該サーバにより検証された顔写真データを前記ネットワークを介して受信すると、第９のステップは、前記記憶部に記憶されている前記申請書記載事項を読み出し、該読み出した申請書記載事項に該申請者の顔写真データを付加して前記申請書データを作成することを特徴とする請求項１に記載の顔写真付き申請書データ作成方法。
【請求項３】
サーバとネットワークを介して接続された端末装置であって、
予め住民カードに記録された生体情報を該端末装置に備えるカード情報読み取り手段により読み取り、該読み取った生体情報と、生体情報測定手段により測定された前記申請者の生体情報とを比較し、該申請者が申請者本人であるかどうかを認証する本人認証処理部と、
前記認証の結果、認証に成功すれば、前記住民カードから住民コードを読み出すカード情報読み取り部と、
前記カード情報読み取り部により読み出した住民コードを前記ネットワークを介して前記サーバに送信し、前記サーバから前記ネットワークを介して前記住民コードに紐付いた個人情報を受信し、該受信した個人情報を申請書記載事項として記憶部に記憶し、前記個人情報以外に、前記申請者から前記端末装置の入力手段により申請に必要な情報を受け付け、該申請に必要な情報を前記個人情報と対応付け、これらを前記申請書記載事項として前記記憶部に記憶する申請書記載事項処理部と、
前記端末装置に備える撮影手段により前記申請者の顔写真を撮影して画像データを作成するとともに該画像データの有効期限を算出し、前記画像データが前記申請者本人の顔写真を示していることを認証する為の顔写真用認証情報を前記ネットワークを介して前記サーバに要求し、前記サーバから前記ネットワークを介して前記顔写真用認証情報を受信し、該情報と前記画像データの有効期限を示す情報を可視化された認証マークとして前記画像データに埋め込んで前記申請者の顔写真データを生成する写真データ生成処理部と、
前記記憶部に記憶されている前記申請書記載事項を読み出し、該読み出した申請書記載事項に該申請者の顔写真データを付加して前記申請書データを作成する申請書データ生成処理部と、
該申請書データの内容を認証する為の申請書データ用認証情報を前記ネットワークを介して前記サーバに要求し、前記サーバから前記ネットワークを介して前記申請書データ用認証情報を受信するとともに前記申請書データの有効期限を算出し、前記申請書データ用認証情報と前記申請書データの有効期限を示す情報を可視化された認証マークとして前記申請書データに埋め込む認証情報埋め込み処理部と、
を備えることを特徴とする端末装置。
【請求項４】
前記写真データ生成処理部により生成された前記申請者の顔写真データを前記住民カードとは異なる情報記録媒体から取得する顔写真データ入力処理部と、
該取得した顔写真データ中の画像データが前記申請者本人の顔写真を示しているかどうかの検証を前記サーバに依頼する顔写真データ検証依頼処理部とを有し、
前記サーバから、該サーバにより検証された顔写真データを前記ネットワークを介して受信すると、前記記憶部に記憶されている前記申請書記載事項を読み出し、該読み出した申請書記載事項に該申請者の顔写真データを付加して前記申請書データを作成することを特徴とする請求項３に記載の端末装置。
【請求項５】
サーバとネットワークを介して接続されたコンピュータが読み取り可能な媒体上のプログラムであって、
前記コンピュータに備えた生体情報読み取り手段が住民カードから読み取った生体情報と、生体情報測定手段により測定された前記申請者の生体情報とを比較し、該申請者が申請者本人であるかどうかを認証する本人認証処理機能と、
前記認証の結果、認証に成功すれば、前記カード情報読み取り手段が前記住民カードから住民コードを読み出し、該読み出した住民コードを前記ネットワークを介して前記サーバに送信し、前記サーバから前記ネットワークを介して前記住民コードに紐付いた個人情報を受信し、該受信した個人情報を申請書記載事項として記憶部に記憶し、前記個人情報以外に、前記申請者から前記端末装置の入力手段により申請に必要な情報を受け付け、該申請に必要な情報を前記個人情報と対応付け、これらを前記申請書記載事項として前記記憶部に記憶する申請書記載事項処理機能と、
前記端末装置に備える撮影手段により前記申請者の顔写真を撮影して画像データを作成するとともに該画像データの有効期限を算出し、前記画像データが前記申請者本人の顔写真を示していることを認証する為の顔写真用認証情報を前記ネットワークを介して前記サーバに要求し、前記サーバから前記ネットワークを介して前記顔写真用認証情報を受信し、該情報と前記画像データの有効期限を示す情報を可視化された認証マークとして前記画像データに埋め込んで前記申請者の顔写真データを生成する写真データ生成処理機能と、
前記記憶部に記憶されている前記申請書記載事項を読み出し、該読み出した申請書記載事項に該申請者の顔写真データを付加して前記申請書データを作成する申請書データ生成処理機能と、
該申請書データの内容を認証する為の申請書データ用認証情報を前記ネットワークを介して前記サーバに要求し、前記サーバから前記ネットワークを介して前記申請書データ用認証情報を受信するとともに前記申請書データの有効期限を算出し、前記申請書データ用認証情報と前記申請書データの有効期限を示す情報を可視化された認証マークとして前記申請書データに埋め込む認証情報埋め込み処理機能と、
を前記コンピュータに実行させることを特徴とするプログラム。
【請求項６】
前記写真データ生成処理機能により生成された前記申請者の顔写真データを前記住民カードとは異なる情報記録媒体から取得する機能と、
該取得した顔写真データ中の画像データが前記申請者本人の顔写真を示しているかどうかの検証を前記サーバに依頼する機能と、
前記サーバから、該サーバにより検証された顔写真データを前記ネットワークを介して受信すると、前記記憶部に記憶されている前記申請書記載事項を読み出し、該読み出した申請書記載事項に該検証された顔写真データを付加して前記申請書データを作成することを特徴とする請求項５に記載のプログラム。
【発明の詳細な説明】
【０００１】
【発明の属する技術分野】
本発明は顔写真付き申請書データを作成する顔写真付き申請書データ作成システムに関し、特に申請者本人の顔写真データに改竄防止用のマークを付加した申請書データを作成する顔写真付き申請書データ作成システムに適用して有効な技術に関するものである。
【０００２】
【従来の技術】
近年のインターネットの普及に伴い、電子申請や電子調達等の種々の処理内容がネットワークを通じて行われる様になってきており、省庁・自治体、企業、個人を含めた付加価値の高い電子行政サービスの実現が進められている。
【０００３】
その電子行政サービスでは、ワンストップサービスを提供する自治体向け多機能システムにより、住民票の写しや印鑑登録証明書等をまとめて発行したり、休日・時間外の発行を行ったりして住民サービスを向上させ、窓口業務の負担を軽減させている。
【０００４】
一方、行政や民間会社に提出する書類の中には、免許証、パスポートや履歴書等の様にその書類に本人の顔写真を添付するものがある。この様な申請処理では、申請者によって提示された顔写真が申請者本人のものであるかを確認する必要がある為、窓口の担当者によりその顔写真と申請者本人との比較が行われた後、その申請書による手続きが行われている。
【０００５】
なお人物像を含む原画像情報中に個人情報を透かし画像情報として埋め込み、履歴書等の個人の重要な情報が第３者に容易に知られない様にした個人情報作成方法及び装置については特開平１０−２８５３８３号公報に記載されている。
【０００６】
【発明が解決しようとする課題】
前記従来の電子行政サービスでは、免許証やパスポート等の申請処理の様に、申請書に本人の顔写真を添付する必要のある申請処理では、申請者によって提示された顔写真が申請者本人のものであるかを情報処理装置によって判定するのが困難であった為、顔写真付き申請書を処理する際には窓口担当者を介して行う必要がある。
【０００７】
前記従来の電子行政サービスにおいて、顔写真を情報処理装置内に読み込ませて顔写真データを作成し、これを申請書記載事項のデータに付加して顔写真付き申請書データを作成した場合、顔写真データや申請書記載事項の改竄や顔写真データのすり替え等の不正が行われる可能性がある為、これらの改竄や不正を検出できる様にする必要がある。
【０００８】
本発明の目的は上記問題を解決し、信頼性の高い顔写真付き申請書データを効率良く作成することが可能な技術を提供することにある。
【０００９】
【課題を解決するための手段】
本発明は、顔写真付き申請書データを作成する顔写真付き申請書データ作成システムにおいて、申請者本人の個人情報を申請書記載事項として設定し、顔写真データ及び申請書データに認証情報を埋め込んで顔写真付き申請書データを作成するものである。
【００１０】
本発明の顔写真付き申請書データ作成システムでは、まず、顔写真付き申請書データの作成を行う作成者の生体情報と、その作成者の提示する住民カード等の記録媒体中に記録された生体情報とを比較して、当該作成者が前記住民カードの正規の所有者即ち申請者本人であるかどうかを認証する。
【００１１】
前記作成者が申請者本人であると認証された場合には、その申請者の提示した住民カード中の住民コード等の識別情報で識別される個人情報を住民基本台帳等のデータベースから取得して、当該申請書の記載に必要な申請書記載事項として設定する。
【００１２】
次に、顔写真付き申請書データ作成端末装置に内蔵されたカメラにより申請者の顔写真を撮影して画像データを生成し、当該画像データが申請者本人の顔写真を示していることを認証する為の顔写真用認証情報を埋め込んで当該申請者の顔写真データを生成する。
【００１３】
そして、前記個人情報を設定した申請書記載事項に前記生成された顔写真データを付加して申請書データを生成した後、その生成した申請書データに当該申請書データの内容を認証する為の申請書データ用認証情報を埋め込んで顔写真付き申請書データを作成する。この様にして作成された顔写真付き申請書データは、その申請書の受付を行う処理装置に送られて申請処理が実行される。
【００１４】
前記の様に本発明では、顔写真データにその画像データが申請者本人の顔写真を示していることを認証する為の顔写真用認証情報を埋め込んでいるので、顔写真データの改竄を防止することができる。また、顔写真付き申請書データには、申請書記載事項に顔写真データを付加した申請書データの内容を認証する為の申請書データ用認証情報を埋め込んでいるので、顔写真データそのものを入れ替える等の改竄を防止することができる。
【００１５】
以上の様に本発明の顔写真付き申請書データ作成システムによれば、申請者本人の個人情報を申請書記載事項として設定し、顔写真データ及び申請書データに認証情報を埋め込んで顔写真付き申請書データを作成するので、信頼性の高い顔写真付き申請書データを効率良く作成することが可能である。
【００１６】
【発明の実施の形態】
以下に顔写真付き申請書データを作成する一実施形態の顔写真付き申請書データ作成システムについて説明する。
【００１７】
図１は本実施形態の公共的な申請処理を行う場合の概略構成を示す図である。図１に示す様に本実施形態の顔写真付き申請書データ作成システムは、顔写真付き申請書データ作成端末装置１００と、サーバ１１０とを有している。
【００１８】
顔写真付き申請書データ作成端末装置１００は、顔写真付き申請書データを作成する装置である。サーバ１１０は、顔写真付き申請書データを作成する際に用いられる個人情報を管理する個人情報管理装置である。
【００１９】
顔写真付き申請書データ作成端末装置１００は、本人認証処理部１０１と、申請書記載事項処理部１０２と、写真データ生成処理部１０３と、申請書データ生成処理部１０４と、認証情報埋め込み処理部１０５と、顔写真データ入力処理部１０６と、顔写真データ検証依頼処理部１０７とを有している。
【００２０】
本人認証処理部１０１は、顔写真付き申請書データの作成を行う作成者が申請者本人であるかどうかを認証する処理部である。申請書記載事項処理部１０２は、前記申請者の提示した識別情報で識別される個人情報をサーバ１１０から取得して申請書記載事項として設定する処理部である。
【００２１】
写真データ生成処理部１０３は、前記申請者の顔写真を撮影した画像データに、当該画像データが申請者本人の顔写真を示していることを認証する為の顔写真用認証情報を埋め込んで当該申請者の顔写真データを生成する処理部である。
【００２２】
申請書データ生成処理部１０４は、前記個人情報を設定した申請書記載事項に前記生成された顔写真データや、他の顔写真付き申請書データの作成で生成された顔写真データを付加して申請書データを生成する処理部である。
【００２３】
認証情報埋め込み処理部１０５は、前記生成した申請書データにその申請書データの内容を認証する為の申請書データ用認証情報を埋め込む処理部である。顔写真データ入力処理部１０６は、他の顔写真付き申請書データの作成で生成された顔写真データを入力する処理部である。顔写真データ検証依頼処理部１０７は、前記入力された顔写真データ中の画像データが申請者本人の顔写真を示しているかどうかの検証をサーバ１１０に依頼する処理部である。
【００２４】
顔写真付き申請書データ作成端末装置１００を本人認証処理部１０１、申請書記載事項処理部１０２、写真データ生成処理部１０３、申請書データ生成処理部１０４、認証情報埋め込み処理部１０５、顔写真データ入力処理部１０６及び顔写真データ検証依頼処理部１０７として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００２５】
サーバ１１０は、個人情報提供処理部１１１と、認証情報生成処理部１１２と、顔写真データ検証処理部１１３とを有している。
【００２６】
個人情報提供処理部１１１は、顔写真付き申請書データにより申請を行う申請者の提示した住民コードで識別される個人情報を住民基本台帳等の住民記録システムから読み出して顔写真付き申請書データ作成端末装置１００に提供する処理部である。
【００２７】
認証情報生成処理部１１２は、前記申請者の顔写真を撮影した画像データが申請者本人の顔写真を示していることを認証する為の顔写真用認証情報及び前記個人情報を設定した申請書記載事項に顔写真データを付加して生成した申請書データの内容を認証する為の申請書データ用認証情報を生成する処理部である。
【００２８】
顔写真データ検証処理部１１３は、顔写真付き申請書データ作成端末装置１００から送信された顔写真データ中の顔写真用認証情報を参照してその画像データが申請者本人の顔写真を示しているかどうかを検証する処理部である。
【００２９】
サーバ１１０を個人情報提供処理部１１１、認証情報生成処理部１１２及び顔写真データ検証処理部１１３として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００３０】
図１では、免許証やパスポート等の公共的な申請処理を行う場合の顔写真付き申請書データ作成システムの構成を示しており、申請者の提示する識別情報はその申請者の所持する住民カードに記録された住民コードであるものとし、その住民コードで識別される個人情報を住民基本台帳等の住民記録システムから読み出して申請書記載事項として用いるものとする。
【００３１】
図２は本実施形態の民間の申請処理を行う場合の概略構成を示す図である。図２では銀行やクレジット会社等の民間の申請処理を行う場合の顔写真付き申請書データ作成システムの構成を示しており、申請者の提示する識別情報はその申請者の所持する個人カードに記録されたユーザコードであるものとし、そのユーザコードで識別される個人情報を当該企業内に蓄積された個人情報データベースから読み出して申請書記載事項として用いるものとする。
【００３２】
以下に本実施形態の顔写真付き申請書データ作成システムにおいて、住民カードを使用し、免許証やパスポート等の公共的な申請処理を行う場合の処理手順について説明する。
【００３３】
図３は本実施形態のメインルーチンの処理手順を示すフローチャートである。顔写真付き申請書データの作成指示を受付けると、図３に示す様にステップ３０１で顔写真付き申請書データ作成端末装置１００の本人認証処理部１０１は、顔写真付き申請書データの作成を行う作成者が申請者本人であるかどうかを認証する処理を行う。
【００３４】
次にステップ３０２で申請書記載事項処理部１０２は、前記申請者の提示した識別情報で識別される個人情報をサーバ１１０から取得して申請書記載事項として設定する。
【００３５】
ステップ３０３で写真データ生成処理部１０３は、前記申請者の顔写真を撮影した画像データに、当該画像データが申請者本人の顔写真を示していることを認証する為の顔写真用認証情報を埋め込んで当該申請者の顔写真データを生成する。
【００３６】
ステップ３０４で申請書データ生成処理部１０４は、前記個人情報を設定した申請書記載事項に前記生成された顔写真データや、他の顔写真付き申請書データの作成で生成された顔写真データを付加して申請書データを生成する。
【００３７】
ステップ３０５で認証情報埋め込み処理部１０５は、前記生成した申請書データにその申請書データの内容を認証する為の申請書データ用認証情報を埋め込む処理を行う。
【００３８】
図４は本実施形態の本人認証処理の処理手順を示すフローチャートである。図４に示す様に本実施形態の本人認証処理では、生体情報として指紋情報を用いているが、声紋や虹彩等の他の生体情報を用いても良い。
【００３９】
ステップ４０１で顔写真付き申請書データ作成端末装置１００の本人認証処理部１０１は、顔写真付き申請書データの作成を行う作成者の住民カードをＩＣ／磁気カードリーダーにより検出しているかどうかを調べ、住民カードを検出している場合にはその住民カード内に格納されている生体情報である指紋情報を読み出す。
【００４０】
ステップ４０２では、当該作成者の指紋画像を読み取り、その指紋画像からコアや特徴点の座標情報、隆線の方向や特徴点周辺のチップ画像等の指紋情報を抽出する。
【００４１】
ステップ４０３では、ステップ４０１で住民カードから読み出した指紋情報とその作成者の指紋画像から抽出した指紋情報とを比較してそれらが一致するかどうかを調べ、それらが一致する場合には当該作成者が申請者本人であるものとして申請書記載事項処理ルーチンへ進み、それらが一致しない場合にはステップ４０４へ進む。
【００４２】
ステップ４０４では、予め定められた所定回数のリトライを行ったかどうかを調べ、まだ所定回数のリトライを行っていない場合にはステップ４０２へ戻り、再度当該作成者の指紋画像を読み取って一致するかどうかを調べる。
【００４３】
図５は本実施形態の申請書記載事項処理の処理手順を示すフローチャートである。ステップ５０１で顔写真付き申請書データ作成端末装置１００の申請書記載事項処理部１０２は、前記申請者の提示した住民カード中の住民コードで識別される氏名、性別、生年月日、現住所等の個人情報をサーバ１１０に要求する。
【００４４】
サーバ１１０の個人情報提供処理部１１１は、前記住民コードで識別される個人情報を個人情報データベースである住民記録システムから読み出して顔写真付き申請書データ作成端末装置１００に提供する。
【００４５】
ステップ５０２で顔写真付き申請書データ作成端末装置１００の申請書記載事項処理部１０２は、前記要求した個人情報をサーバ１１０から取得して申請書記載事項としてメモリに保持する。
【００４６】
ステップ５０３では、当該申請処理に必要なその他の記載事項の入力を申請者から受付けて申請記載事項としてメモリに保持する。
【００４７】
ステップ５０４では、その他の記載事項の入力終了が申請者から指示されたかどうかを調べ、前記入力終了が指示された場合には申請書記載事項データの作成を終了して写真データ生成処理へ進む。
【００４８】
図６は本実施形態の写真データ生成処理の処理手順を示すフローチャートである。ステップ６０１で顔写真付き申請書データ作成端末装置１００の写真データ生成処理部１０３は、申請者の顔写真をその装置に内蔵されたカメラによって撮影する。ステップ６０２では、前記撮影した顔写真をデジタル化した画像データを作成し、ステップ６０３では、当日の日付に６ヶ月等の所定期間を加算して顔写真データの有効期限を示す顔写真データ有効期限を算出する。
【００４９】
ステップ６０４では、前記作成した画像データ、前記算出した顔写真データ有効期限及び当該申請者の生体情報をサーバ１１０へ送り、当該画像データが申請者本人の顔写真を示していることを認証する為の顔写真用認証情報をサーバ１１０に要求する。
【００５０】
サーバ１１０の認証情報生成処理部１１２は、前記画像データのハッシュ値を算出し、そのハッシュ値と顔写真データ有効期限及び生体情報をサーバ１１０の秘密鍵で暗号化して、前記申請者の顔写真を撮影した画像データが申請者本人の顔写真を示していることを認証する為の顔写真用認証情報を生成した後、その生成した顔写真用認証情報を顔写真付き申請書データ作成端末装置１００へ送る。
【００５１】
顔写真付き申請書データ作成端末装置１００の写真データ生成処理部１０３は、サーバ１１０から顔写真用認証情報を受信し、前記申請者の顔写真を撮影した画像データにその顔写真用認証情報を、可視化された認証マークとして埋め込んで当該申請者の顔写真データを生成する。
【００５２】
ステップ６０５では、サーバ１１０から受信した顔写真用認証情報を削除して写真データ生成処理を終了し、申請書データ生成処理へ進む。
【００５３】
図７は本実施形態の申請書データ生成処理の処理手順を示すフローチャートである。ステップ７０１で顔写真付き申請書データ作成端末装置１００の申請書データ生成処理部１０４は、前記メモリに保持しておいた申請書記載事項に前記認証マークの生め込まれた顔写真データを付加して申請書データを生成する。
【００５４】
ステップ７０２では、前記メモリに保持しておいた申請書記載事項を消去して申請書データ生成処理を終了し、ハッシュ値入りマーク埋め込み処理へ進む。
【００５５】
図８は本実施形態のハッシュ値入りマーク埋め込み処理の処理手順を示すフローチャートである。ステップ８０１で顔写真付き申請書データ作成端末装置１００の認証情報埋め込み処理部１０５は、前記生成した申請書データをサーバ１１０に送り、その申請書データの内容を認証する為の申請書データ用認証情報をサーバ１１０に要求する。サーバ１１０の認証情報生成処理部１１２は、前記申請書データのハッシュ値を算出し、そのハッシュ値をサーバ１１０の秘密鍵で暗号化して、前記申請書データの内容を認証する為の申請書データ用認証情報を生成した後、その生成した申請書データ用認証情報を顔写真付き申請書データ作成端末装置１００へ送り、顔写真付き申請書データ作成端末装置１００の認証情報埋め込み処理部１０５は、サーバ１１０から申請書データ用認証情報を受信する。
【００５６】
ステップ８０２では、当日の日付に所定期間を加算して申請書データの有効期限を示す申請書データ有効期限を算出する。ステップ８０３では、前記申請書データ用認証情報をサーバ１１０の自治体マーク画像に埋め込んで認証マークを作成する。ステップ８０４では、前記生成した申請書データに、前記作成した認証マークと前記算出した申請書データ有効期限とを埋め込んで顔写真付き申請書データを生成する。
【００５７】
図９は本実施形態の顔写真付き申請書の完成イメージを示す図である。図９に示す様に顔写真付き申請書データ９００には、顔写真付き申請書データ９００全体の内容を認証する為の申請書データ用認証情報を埋め込んだ申請書認証マーク９０４が付加されている為、申請書認証マーク９０４中の申請書データ用認証情報により、顔写真データ９０１または申請書記載事項９０２が改竄されているかどうかを検証することができる。
【００５８】
また顔写真データ９０１には、当該画像データが申請者本人の顔写真を示していることを認証する為の顔写真用認証情報を埋め込んだ顔写真認証マーク９０３が付加されている為、その顔写真データ９０１を免許証やパスポート等の写真や他の申請処理に再利用した場合に、その顔写真データ９０１が改竄されているかどうかを検証することができる。
【００５９】
以下に本実施形態の顔写真付き申請書データ作成システムにおいて、他の顔写真付き申請書データの作成で生成された顔写真データをそれ以外の申請処理で再利用する処理について説明する。
【００６０】
図６に示した写真データ生成処理では、申請者の顔写真を装置に内蔵されたカメラによって撮影して顔写真データを生成していたが、他の顔写真付き申請書データの作成で生成された顔写真データをその申請者のＩＣカード等の記録媒体に出力しておき、別の申請処理を行う際に、顔写真付き申請書データ作成端末装置１００の顔写真データ入力処理部１０６により、前記記録媒体中の顔写真データを入力する処理を行う。
【００６１】
顔写真付き申請書データ作成端末装置１００の顔写真データ検証依頼処理部１０７は、前記入力された顔写真データと、その顔写真データを入力した申請者の生体情報をサーバ１１０へ送り、その顔写真データ中の画像データが申請者本人の顔写真を示しているかどうかの検証をサーバ１１０に依頼する。
【００６２】
サーバ１１０の顔写真データ検証処理部１１３は、顔写真付き申請書データ作成端末装置１００から送信された顔写真データ中の顔写真用認証情報を読み出して復号化し、顔写真用認証情報中の画像データのハッシュ値と顔写真データ有効期限及び生体情報を取り出す。
【００６３】
そして顔写真データ検証処理部１１３は、その画像データのハッシュ値と顔写真用認証情報中の画像データのハッシュ値とを比較して当該画像データが改竄されていないことを確認した後、顔写真用認証情報中の生体情報と申請者の生体情報とを比較して当該画像データが申請者本人の顔写真を示しているかどうかを検証し、検証結果を顔写真付き申請書データ作成端末装置１００へ送信する。
【００６４】
顔写真付き申請書データ作成端末装置１００は、その顔写真データ中の画像データが申請者本人の顔写真であることを示す検証結果をサーバ１１０から受信した場合に、図７の申請書データ生成処理へ進み、申請書データ生成処理部１０４により、前記メモリに保持しておいた申請書記載事項に前記顔写真データを付加して申請書データを生成する処理を行う。
【００６５】
以上説明した様に本実施形態の顔写真付き申請書データ作成システムによれば、申請者本人の個人情報を申請書記載事項として設定し、顔写真データ及び申請書データに認証情報を埋め込んで顔写真付き申請書データを作成するので、信頼性の高い顔写真付き申請書データを効率良く作成することが可能である。
【００６６】
【発明の効果】
本発明によれば申請者本人の個人情報を申請書記載事項として設定し、顔写真データ及び申請書データに認証情報を埋め込んで顔写真付き申請書データを作成するので、信頼性の高い顔写真付き申請書データを効率良く作成することが可能である。
【図面の簡単な説明】
【図１】本実施形態の公共的な申請処理を行う場合の概略構成を示す図である。
【図２】本実施形態の民間の申請処理を行う場合の概略構成を示す図である。
【図３】本実施形態のメインルーチンの処理手順を示すフローチャートである。
【図４】本実施形態の本人認証処理の処理手順を示すフローチャートである。
【図５】本実施形態の申請書記載事項処理の処理手順を示すフローチャートである。
【図６】本実施形態の写真データ生成処理の処理手順を示すフローチャートである。
【図７】本実施形態の申請書データ生成処理の処理手順を示すフローチャートである。
【図８】本実施形態のハッシュ値入りマーク埋め込み処理の処理手順を示すフローチャートである。
【図９】本実施形態の顔写真付き申請書の完成イメージを示す図である。
【符号の説明】
１００…顔写真付き申請書データ作成端末装置、１１０…サーバ、１０１…本人認証処理部、１０２…申請書記載事項処理部、１０３…写真データ生成処理部、１０４…申請書データ生成処理部、１０５…認証情報埋め込み処理部、１０６…顔写真データ入力処理部、１０７…顔写真データ検証依頼処理部、１１１…個人情報提供処理部、１１２…認証情報生成処理部、１１３…顔写真データ検証処理部、９００…顔写真付き申請書データ、９０１…顔写真データ、９０２…申請書記載事項、９０３…顔写真認証マーク、９０４…申請書認証マーク。
【図１】
0003983993.tif 000002
【図２】
0003983993.tif 000003
【図３】
0003983993.tif 000004
【図４】
0003983993.tif 000005
【図５】
0003983993.tif 000006
【図６】
0003983993.tif 000007
【図７】
0003983993.tif 000008
【図８】
0003983993.tif 000009
【図９】
0003983993.tif 000010